(57)【要約】【課題】訪れた利用者にのみ限定販売するデジタルコンテンツの情報を提供し、そのデジタルコンテンツを利用者が所有する端末を用いて利便性よく購入できるようにする。【解決手段】商品販売を目的とした店舗や余暇活動における各種サービス施設において、利用者が所有する非接触型情報媒体から利用者に関する情報を読み取り、読み取った情報をサービス事業者の管理端末である会員受付サーバ４１に送信する。会員受付サーバ４１は、非接触型情報媒体から読み取った情報を受信すると、その利用者に、読み取った店舗等が特別に販売するデジタルコンテンツを購入する権利を付与する。会員受付サーバ４１は、付与した購入権利に基づいて、インターネット経由で情報提供および販売する。【選択図】図１
2007122623.tif 000002
【特許請求の範囲】
【請求項１】
ユーザの訪問先に関連するデジタルコンテンツを提供するデジタルコンテンツ提供システムであって、
ユーザの訪問先に設置される訪問先端末と、
ユーザがデジタルコンテンツを購入する権利であるコンテンツ購入権を管理する管理装置と、
前記訪問先端末に対応するデジタルコンテンツを配信する配信装置とを備え、
前記訪問先端末は、
ユーザを識別するためのユーザ識別情報を記憶する非接触型情報媒体から、前記ユーザ識別情報を読み取る読取手段と、
前記読取手段が読み取ったユーザ識別情報を前記管理装置に送信する識別情報送信手段とを有し、
前記管理装置は、前記識別情報送信手段から受信したユーザ識別情報に基づいて、前記ユーザにコンテンツ購入権を付与するコンテンツ購入権付与手段を有し、
前記配信装置は、前記管理装置によってコンテンツ購入権が付与されたことに基づいて、デジタルコンテンツをユーザ端末に配信する配信手段を有する
ことを特徴とするデジタルコンテンツ提供システム。
【請求項２】
識別情報送信手段は、前記読み取り手段が読み取ったユーザ識別情報と、予め定められた訪問先端末を識別するための訪問先識別情報とを前記管理装置に送信し、
コンテンツ購入権付与手段は、前記識別情報送信手段から受信したユーザ識別情報および訪問先識別情報に基づいて、前記訪問先端末に対応するデジタルコンテンツを対象とするコンテンツ購入権を前記ユーザに付与し、
配信手段は、前記管理装置がコンテンツ購入権の対象としたデジタルコンテンツをユーザ端末に配信することを特徴とする
請求項１記載のデジタルコンテンツ提供システム。
【請求項３】
管理装置は、ユーザが前記訪問先端末に対応するデジタルコンテンツを購入可能か否かを示す購入権利情報を記憶する購入権利記憶手段を有し、
コンテンツ購入権付与手段は、前記識別情報送信手段からユーザ識別情報および訪問先識別情報を受信すると、前記ユーザ識別情報に基づいて特定されるユーザが、前記訪問先識別情報に基づいて特定される訪問先端末に対応するデジタルコンテンツを購入可能である旨の購入権利情報を、前記購入権利記憶手段に記憶させ、
配信手段は、前記購入権利記憶手段に記憶されている記憶内容に基づいて、デジタルコンテンツをユーザ端末に配信する
請求項１または請求項２記載のデジタルコンテンツ提供システム。
【請求項４】
配信手段は、訪問先端末に対応するデジタルコンテンツを配信するための専用配信サイトをインターネット上に開設し、前記専用配信サイトにおけるユーザ操作に応じて、デジタルコンテンツを配信し、
管理装置は、コンテンツ購入権付与手段がコンテンツ購入権を付与した場合に、前記コンテンツ購入権によって購入可能となった訪問先に対応する専用配信サイトのＵＲＬを本文に含む電子メールを、前記コンテンツ購入権によって前記訪問先のデジタルコンテンツが購入可能となった利用者のユーザ端末の電子メールアドレス宛に送信する配信サイト通知メール送信手段を有し、
ユーザ端末は、前記配信サイト通知メール送信手段から受信した電子メールの本文に含まれる専用配信サイトにアクセスするサイトアクセス手段を有する
請求項１から請求項３のうちのいずれか１項に記載のデジタルコンテンツ購入システム。
【請求項５】
ユーザの訪問先に関連するデジタルコンテンツを提供するデジタルコンテンツ提供システムにおいて、
ユーザがデジタルコンテンツを購入する権利であるコンテンツ購入権を管理する管理装置であって、
ユーザの訪問先に設置される訪問先端末から受信するユーザを識別するためのユーザ識別情報に基づいて、前記ユーザにコンテンツ購入権を付与するコンテンツ購入権付与手段と、
前記コンテンツ購入権付与手段によってコンテンツ購入権が付与されたことに基づいて、前記訪問先端末に対応するデジタルコンテンツを配信する配信装置に、前記ユーザが前記デジタルコンテンツを購入可能か否かを示す購入権利情報を送信する購入権利情報送信手段とを有する
ことを特徴とする管理装置。
【請求項６】
ユーザが訪問先端末に対応するデジタルコンテンツを購入可能か否かを示す購入権利情報を記憶する購入権利記憶手段を有し、
コンテンツ購入権付与手段は、前記訪問先端末からユーザ識別情報および訪問先端末を識別するための訪問先識別情報を受信すると、前記ユーザ識別情報に基づいて特定されるユーザが、前記訪問先識別情報に基づいて特定される訪問先端末に対応するデジタルコンテンツを購入可能である旨を示す購入権利情報を前記購入権利記憶手段に記憶させ、
購入権利情報送信手段は、配信装置からの問合せに応じて、前記購入権利記憶手段に記憶されている購入権利情報を送信する
請求項５記載の管理装置。
【請求項７】
ユーザの訪問先に関連するデジタルコンテンツを提供するデジタルコンテンツ提供方法であって、
ユーザの訪問先に設置される訪問先端末が、ユーザを識別するためのユーザ識別情報を記憶する非接触型情報媒体から、前記ユーザ識別情報を読み取り、読み取ったユーザ識別情報を管理装置に送信し、
管理装置が、前記訪問先端末から受信したユーザ識別情報に基づいて、前記ユーザにデジタルコンテンツを購入する権利であるコンテンツ購入権を付与し、
配信装置が、前記管理装置によってコンテンツ購入権が付与されたことに基づいて、デジタルコンテンツをユーザ端末に配信する
ことを特徴とするデジタルコンテンツ提供方法。
【請求項８】
ユーザの訪問先に関連するデジタルコンテンツを提供するためのデジタルコンテンツ提供プログラムであって、
コンピュータに、
ユーザの訪問先に設置される訪問先端末からユーザを識別するためのユーザ識別情報および訪問先端末を識別するための訪問先識別情報を受信すると、前記ユーザ識別情報に基づいて特定されるユーザが、前記訪問先識別情報に基づいて特定される訪問先端末に対応するデジタルコンテンツを購入可能である旨を示す記憶装置に記憶する処理、および
前記訪問先端末に対応するデジタルコンテンツを配信する配信装置からの問合せに応じて、前記記憶装置に記憶されている購入権利情報を送信する処理
を実行させるためのデジタルコンテンツ提供プログラム。
【発明の詳細な説明】
【技術分野】
【０００１】
本発明は、利用者が訪れた訪問先に関連するデジタルコンテンツを提供するデジタルコンテンツ提供システム、デジタルコンテンツ提供方法、管理装置およびデジタルコンテンツ提供方法に関する。
【背景技術】
【０００２】
インターネットの普及により、パーソナルコンピュータや携帯電話機からｅコマースサイトにアクセスしてインターネットショッピングを利用することで、実際に販売店へ出向かなくても、例えば地域特産の商品であっても購入することができる。しかし、商品を提供した店舗は、ｅコマースサイトによってより多くの商品を販売することができるが、観光関連のサービス事業者は、より多くの旅行者が観光施設を訪れて、交通機関や宿泊施設を利用し、飲食店で食べ、土産販売店で実際の商品を購入することを期待している。
【０００３】
また、集客効果を得るために、サービス事業者が独自にインターネットサイトを立ち上げて利用者向けに情報を提供することもあるが、誰もがアクセスできるインターネットサイトでは、特典サービスとなる情報の提供を制限したいという要望がある。
【０００４】
また、サービス事業者は、有償で提供できるような情報を保有していることも多く、そのような情報をデジタルコンテンツ化し、商品として顧客に認知させ、販売できることができれば、新しい収入源を得ることも可能である。
【０００５】
例えば、利用毎に提供する商品情報を区別して販売する技術として、特許文献１に記載の自動販売機がある。特許文献１に記載の自動販売機は、非接触型ＩＣカード等の非接触媒体を用いて利用者を区別する自動販売機であって、非接触媒体の決済と同時に非接触媒体内に購入商品情報を記憶し、次回購入時に、非接触媒体内に購入商品情報に基づく販売商品一覧をメニュー表示する。非接触媒体の所有者は、そのメニューの中から購入したい商品をタッチパネルのタッチ操作により選択することで商品を購入することができる。
【０００６】
【特許文献１】特開２００４−２２７０６７号公報（段落０００７，００１２）
【発明の開示】
【発明が解決しようとする課題】
【０００７】
しかしながら、特許文献１に記載の自動販売機では、実際に出向いた人に応じた商品情報を提供して販売することはできるが、商品情報を提供された人が自動販売機の前で操作しなければその商品を購入することができない。
【０００８】
そこで、本発明は、利用者が訪れた訪問地に関連するデジタルコンテンツを、時間および場所の制限なく購入できるよう提供することを目的とする。
【課題を解決するための手段】
【０００９】
本発明によるデジタルコンテンツ提供システムは、ユーザの訪問先に関連するデジタルコンテンツを提供するデジタルコンテンツ提供システムであって、ユーザの訪問先に設置される訪問先端末と、ユーザがデジタルコンテンツを購入する権利であるコンテンツ購入権を管理する管理装置と、前記訪問先端末に対応するデジタルコンテンツを配信する配信装置とを備え、前記訪問先端末は、ユーザを識別するためのユーザ識別情報を記憶する非接触型情報媒体から、前記ユーザ識別情報を読み取る読取手段（例えば、ＲＦＩＤリーダ１１が備えるＣＰＵによって実現される。）と、前記読取手段が読み取ったユーザ識別情報を前記管理装置に送信する識別情報送信手段（例えば、店舗端末１０が備えるＣＰＵによって実現される。）とを有し、前記管理装置は、前記識別情報送信手段から受信したユーザ識別情報に基づいて、前記ユーザにコンテンツ購入権を付与するコンテンツ購入権付与手段（例えば、会員受付サーバ４１が備えるＣＰＵによって実現される。）を有し、前記配信装置は、前記管理装置によってコンテンツ購入権が付与されたことに基づいて、デジタルコンテンツをユーザ端末に配信する配信手段（例えば、コンテンツサーバ４４が備えるＣＰＵによって実現される。）を有することを特徴とする。
【００１０】
ここで、「訪問先に関連するデジタルコンテンツ」とは、訪問先の店舗若しくは施設または場所において、限定価値または場所特性のあるデジタルコンテンツをいう。例えば、地域特有の映像や、施設特有の講演映像や講義内容を記録した映像や音声などが該当する。また、「コンテンツ購入権を付与する」とは、ユーザがデジタルコンテンツを購入できる旨を示す情報をいつでも確認可能な状態にすることをいう。
【００１１】
また、識別情報送信手段は、前記読み取り手段が読み取ったユーザ識別情報と、予め定められた訪問先端末を識別するための訪問先識別情報とを前記管理装置に送信し、コンテンツ購入権付与手段は、前記識別情報送信手段から受信したユーザ識別情報および訪問先識別情報に基づいて、前記訪問先端末に対応するデジタルコンテンツを対象とするコンテンツ購入権を前記ユーザに付与し、配信手段は、前記管理装置がコンテンツ購入権の対象としたデジタルコンテンツをユーザ端末に配信してもよい。
【００１２】
また、管理装置は、ユーザが前記訪問先端末に対応するデジタルコンテンツを購入可能か否かを示す購入権利情報を記憶する購入権利記憶手段（例えば、データベースサーバ４２が備える会員情報データベースによって実現される。）を有し、コンテンツ購入権付与手段は、前記識別情報送信手段からユーザ識別情報および訪問先識別情報を受信すると、前記ユーザ識別情報に基づいて特定されるユーザが、前記訪問先識別情報に基づいて特定される訪問先端末に対応するデジタルコンテンツを購入可能である旨の購入権利情報を、前記購入権利記憶手段に記憶させ、配信手段は、前記購入権利記憶手段に記憶されている記憶内容に基づいて、デジタルコンテンツをユーザ端末に配信してもよい。
【００１３】
また、配信手段は、訪問先端末に対応するデジタルコンテンツを配信するための専用配信サイトをインターネット上に開設し、前記専用配信サイトにおけるユーザ操作に応じて、デジタルコンテンツを配信し、管理装置は、コンテンツ購入権付与手段がコンテンツ購入権を付与した場合に、前記コンテンツ購入権によって購入可能となった訪問先に対応する専用配信サイトのＵＲＬを本文に含む電子メールを、前記コンテンツ購入権によって前記訪問先のデジタルコンテンツが購入可能となった利用者のユーザ端末の電子メールアドレス宛に送信する配信サイト通知メール送信手段（例えば、会員受付サーバ４１が備えるＣＰＵおよびメールサーバ４３が備えるＣＰＵによって実現される。）を有し、ユーザ端末は、前記配信サイト通知メール送信手段から受信した電子メールの本文に含まれる専用配信サイトにアクセスするサイトアクセス手段（例えば、携帯電話機３０が備えるＣＰＵや、ユーザ端末２０が備えるＣＰＵによって実現される。）を有していてもよい。
【００１４】
本発明による管理装置は、ユーザの訪問先に関連するデジタルコンテンツを提供するデジタルコンテンツ提供システムにおいて、ユーザがデジタルコンテンツを購入する権利であるコンテンツ購入権を管理する管理装置であって、ユーザの訪問先に設置される訪問先端末から受信するユーザを識別するためのユーザ識別情報に基づいて、前記ユーザにコンテンツ購入権を付与するコンテンツ購入権付与手段と、前記コンテンツ購入権付与手段によってコンテンツ購入権が付与されたことに基づいて、前記訪問先端末に対応するデジタルコンテンツを配信する配信装置に、前記ユーザが前記デジタルコンテンツを購入可能か否かを示す購入権利情報を送信する購入権利情報送信手段とを有することを特徴とする。
【００１５】
また、ユーザが訪問先端末に対応するデジタルコンテンツを購入可能か否かを示す購入権利情報を記憶する購入権利記憶手段を有し、コンテンツ購入権付与手段は、前記訪問先端末からユーザ識別情報および訪問先端末を識別するための訪問先識別情報を受信すると、前記ユーザ識別情報に基づいて特定されるユーザが、前記訪問先識別情報に基づいて特定される訪問先端末に対応するデジタルコンテンツを購入可能である旨を示す購入権利情報を前記購入権利記憶手段に記憶させ、購入権利情報送信手段は、配信装置からの問合せに応じて、前記購入権利記憶手段に記憶されている購入権利情報を送信してもよい。
【００１６】
本発明によるデジタルコンテンツ提供方法は、ユーザの訪問先に関連するデジタルコンテンツを提供するデジタルコンテンツ提供方法であって、ユーザの訪問先に設置される訪問先端末が、ユーザを識別するためのユーザ識別情報を記憶する非接触型情報媒体から、前記ユーザ識別情報を読み取り、読み取ったユーザ識別情報を管理装置に送信し、管理装置が、前記訪問先端末から受信したユーザ識別情報に基づいて、前記ユーザにデジタルコンテンツを購入する権利であるコンテンツ購入権を付与し、配信装置が、前記管理装置によってコンテンツ購入権が付与されたことに基づいて、デジタルコンテンツをユーザ端末に配信することを特徴とする。
【００１７】
本発明によるデジタルコンテンツ提供プログラムは、ユーザの訪問先に関連するデジタルコンテンツを提供するためのデジタルコンテンツ提供プログラムであって、コンピュータに、ユーザの訪問先に設置される訪問先端末からユーザを識別するためのユーザ識別情報および訪問先端末を識別するための訪問先識別情報を受信すると、前記ユーザ識別情報に基づいて特定されるユーザが、前記訪問先識別情報に基づいて特定される訪問先端末に対応するデジタルコンテンツを購入可能である旨を示す記憶装置に記憶する処理、および前記訪問先端末に対応するデジタルコンテンツを配信する配信装置からの問合せに応じて、前記記憶装置に記憶されている購入権利情報を送信する処理を実行させることを特徴とする。
【発明の効果】
【００１８】
本発明によれば、非接触型情報媒体を読み取ることによって、その所有者に読み取った場所に特有の限定商品を購入する権利を付与し、付与した購入する権利に基づいてインターネット経由にて限定商品の情報提供や購入手続きを行うので、利用者にとっては、特典サービスである限定商品を利便性よく購入することができ、サービス事業者にとっては、足を運んでもらった利用者に特典サービスである限定商品の情報を認知させることができ、次回の訪問意欲や更なる商品購入の機会を利用者に与えることができる。また、デジタルコンテンツを商品とすることによって、サービス事業者は、場所特定や限定価値のある資源を新たな収入源として販売することが可能となる。
【発明を実施するための最良の形態】
【００１９】
以下、本発明の実施の形態を図面を参照して説明する。本発明によるデジタルコンテンツ提供システムは、利用者が訪れた訪問地に関連するデジタルコンテンツを、いつでもどこにいる場合であっても利用者が所有するユーザ端末を用いて購入できるデジタルコンテンツ提供システムである。本発明によるデジタルコンテンツ提供システムは、商品販売を目的とした店舗や余暇活動における各種サービス施設において、利用者が所有する非接触型情報媒体から利用者に関する情報を読み取ることで、訪れた利用者に購入権利を付与し、その購入権利に基づいて場所特性や限定価値のある情報をデジタルコンテンツとしてインターネット経由で提供する。利用者は、所有する携帯電話機や自宅の端末を用いてデジタルコンテンツをダウンロードすることができるので、時間や場所に制限されずに利用者が訪れた訪問地に関連するデジタルコンテンツを購入することができる。
【００２０】
本発明において、非接触型情報媒体とは、ＲＦＩＤ技術において非接触で読み書きされる情報を記憶する媒体であって、ラベル型、コイン型、カード型など形状を問わない情報媒体をいう。なお、非接触型情報媒体に記憶された情報は、ＲＦＩＤ技術対応のリーダ／ライタによって読み書きされる。また、本発明における非接触情報媒体は、ラベル型、コイン型、カード型など形状を問わない。非接触型情報媒体は、例えば、ＲＦタグ、非接触型ＩＣカードが該当する。以下、本実施の形態において、非接触型情報媒体をＲＦＩＤ媒体と表現し、非接触型情報媒体に記憶された情報をＲＦＩＤデータと表現する場合がある。
【００２１】
図１は、本発明によるデジタルコンテンツ購入システムの構成例を示したブロック図である。図１に示すデジタルコンテンツ購入システムは、店舗１に設置される店舗端末１０とＲＦＩＤリーダ１１、利用者が自宅にて所有するユーザ端末２０、利用者が所有する携帯電話機３０、ＲＦＩＤ発行者５が所有するＲＦＩＤ発行端末５０とＲＦＩＤプリンタ５１、およびコンテンツ提供者４が所有するＷＷＷサーバ４０と会員受付サーバ４１とデータベースサーバ４２とメールサーバ４３とコンテンツサーバ４４とを備える。なお、図１における利用者（自宅）２と利用者（外出）３は、同一の利用者を示している。また、図１では、ＷＷＷサーバ４０が、インターネットを経由してコンテンツ提供者４へアクセスする際の窓口となっていることを示している。つまり、インターネットに接続される端末は、ＷＷＷサーバ４０が公開するＷｅｂサイトにアクセスし、ＷＷＷサーバ４０がＷｅｂサイトの各Ｗｅｂページに予め組み込まれた処理をすることによって、コンテンツ提供者４内の他のサーバ（例えば、会員受付サーバ４１）と通信することを示している。
【００２２】
店舗１は、本システムのサービス事業者が所有する店舗、またはサービス事業者と提携している店舗を表している。店舗１は、例えば、ある観光組合に加入している土産販売店、宿泊施設、観光施設や、大型ショッピングセンターに入っている売り場、チェーン展開しているチェーン店などが該当する。また、店舗１は、実際に物品等を販売している店舗に限らず、有償で提供する価値のあるデジタルコンテンツを有している企業や施設の運営団体が、そのデジタルコンテンツの販売条件として利用者に出向くよう定めた任意の場所であってもよい。
【００２３】
店舗端末１０は、ＲＦＩＤリーダ１１と接続され、ＲＦＩＤリーダ１１が読み取ったＲＦＩＤデータと、読み取った店舗を識別するための店舗ＩＤとを含む情報をネットワーク（例えば、インターネット）を介して接続される会員受付サーバ４１に送信する機能を有する端末である。店舗端末１０は、例えばパーソナルコンピュータである。なお、店舗端末１０の機能は、プログラムに従って動作するＣＰＵによって実現される。本実施の形態においては、店舗端末１０は、インターネットに接続されるＷＷＷサーバ４０を介して会員受付サーバ４１と通信する。なお、店舗端末１０と会員受付サーバ４１とは、専用回線で接続されていてもよい。
【００２４】
また、店舗端末１０は、利用者が前もって代金を支払った場合には、支払われた金額を入金情報として、ＲＦＩＤデータとともに会員受付サーバ４１に送信することも可能である。
【００２５】
ＲＦＩＤリーダ１１は、ＲＦＩＤ発行者５が発行したＲＦＩＤ媒体からＲＦＩＤデータを読み取る装置である。本実施の形態において、ＲＦＩＤ媒体が記憶するＲＦＩＤデータは、少なくとも会員登録した利用者を識別する会員ＩＤを含んだ情報である。なお、店舗端末１０とＲＦＩＤリーダ１１は、同一筐体に収容されていてもよい。
【００２６】
ユーザ端末２０は、利用者が自宅にて所有するインターネットに接続可能な端末であって、例えば、パーソナルコンピュータである。また、ユーザ端末２０は、動画や静止画、音楽などマルチメディアコンテンツの再生機能を有していることが望ましい。携帯電話機３０は、利用者が所有するインターネット接続機能および電子メール受信機能を有する携帯用端末である。図１では、携帯電話機を例に示しているが、携帯電話機に限らず、例えば、ＰＤＡであってもよい。
【００２７】
ＲＦＩＤ発行者５は、本システムに用いるＲＦＩＤ媒体を発行する事業者を表している。ＲＦＩＤ発行端末５０は、利用者の要求に応じて、ネットワーク（例えば、インターネット）を介して接続される会員受付サーバ４１から、その利用者に応じたＲＦＩＤデータを受信し、ＲＦＩＤプリンタ５１を制御して、その利用者固有のＲＦＩＤ媒体を発行する端末である。ＲＦＩＤ発行端末５０は、例えば、パーソナルコンピュータである。なお、ＲＦＩＤ発行端末５０の機能は、プログラムに従って動作するＣＰＵによって実現される。本実施の形態においては、ＲＦＩＤ発行端末５０は、インターネットに接続されるＷＷＷサーバ４０を介して会員受付サーバ４１と通信可能とする。なお、ＲＦＩＤ発行端末５０と会員受付サーバ４１とは、専用回線で接続されていてもよい。また、ＲＦＩＤ発行端末５０は、その場で利用者が会員登録に必要な情報を入力できるよう表示装置と入力装置とを備え、利用者から入力された情報を会員受付サーバ４１に送信して会員登録を要求する会員登録機能を有していてもよい。
【００２８】
また、デジタルコンテンツ購入時の決算方法が複数選択できる場合には、ＲＦＩＤ発行端末５０が入金装置を備えていてもよい。決算方法には、例えば、現金前払いや電子マネー、ポストペイ、携帯電話料金、クレジットカード等が選択肢として可能である。ＲＦＩＤ発行端末５０は、例えば、決算方法として現金前払い、または電子マネーが選択されている場合に、利用者から入金を受け付け、入金情報を会員受付サーバ４１に送信してもよい。また、ＲＦＩＤ発行者５は、コンテンツ提供者４と同一の事業者であってもよく、ＲＦＩＤ発行端末５０は、コンテンツ提供者４のローカルネットワークに接続されていいてもよい。
【００２９】
ＲＦＩＤプリンタ５１は、ＲＦＩＤ発行端末５０の指示に従って、予め内部に保有しているＲＦＩＤ媒体の記憶領域にＲＦＩＤデータを書き込んだ上で、ＲＦＩＤ媒体を搬出する装置であって、例えば、ＲＦＩＤ対応のラベルプリンタやカードプリンタ、ＩＣカード発行機である。なお、ＲＦＩＤ発行端末５０とＲＦＩＤプリンタ５１は、同一筐体に収容され、タッチパネルで入力可能な端末であって店舗やコンビニエンスストア等に配置されていてもよい。
【００３０】
コンテンツ提供者４は、ユーザ管理、店舗管理などを行い、本システムを運営管理するサービス事業者を表している。コンテンツ提供者４は、例えば、観光地の観光組合や、大型ショッピングセンターや、複数の地域にチェーン展開をしている事業者が該当する。ＷＷＷサーバ４０は、コンテンツ提供者４のローカルネットワーク（例えば、ＬＡＮ）を介して、会員受付サーバ４１とメールサーバ４３とコンテンツサーバ４４と接続されるとともに、インターネットに接続される装置であって、インターネットを経由したコンテンツ提供者４の他サーバ（例えば、会員受付サーバ４１）のアクセス窓口となるサーバである。ＷＷＷサーバ４０は、インターネット上にコンテンツ提供者４のＷｅｂサイトを公開し、Ｗｅｂサイト内の各ページに予め組み込まれている処理に従って動作を行う情報処理装置である。ＷＷＷサーバ４０は、デジタルコンテンツ販売サービスサイトとして、少なくとも本システムを利用するための会員申込みページと、ＰＣ（パーソナルコンピュータ）利用者向けにデジタルコンテンツを送信するＰＣ用コンテンツ販売ページと、携帯電話機利用者向けにデジタルコンテンツを送信する携帯電話機用コンテンツ販売ページとを提供する。
【００３１】
会員受付サーバ４１は、主に、会員の登録と、コンテンツを購入する権利（以下、コンテンツ購入権）の付与と、コンテンツ購入権に基づく販売許可認証とを行う装置である。会員受付サーバ４１は、コンテンツ提供者４のローカルネットワークを介して、ＷＷＷサーバ４０とデータベースサーバ４２とメールサーバ４３とコンテンツサーバ４４と通信可能とする。会員受付サーバ４１は、具体的には、会員申込みサイトを通じてユーザ端末２０や携帯電話機３０から会員申込みデータを受け付け処理する機能、ＲＦＩＤ発行者５のＲＦＩＤ発行端末からのＲＦＩＤ発行要求に応じてＲＦＩＤ媒体に記憶するＲＦＩＤデータを送信する機能、店舗端末からコンテンツ購入権申込みメッセージを受信し申込んだ会員へ店舗毎に識別されるデジタルコンテンツ販売用サイトのＵＲＬを通知する機能、コンテンツ販売サイトを通じて会員からコンテンツ購入申込みデータを受信しコンテンツ購入権と照合して購入可能か否かを判断する機能、およびコンテンツサーバ４４からコンテンツ購入情報を受信し決算する機能とを有する。なお、会員受付サーバ４１の機能は、プログラムに従って動作するＣＰＵによって実現される。
【００３２】
なお、会員受付サーバ４１は、コンテンツ購入権に基づく販売許可認証を行う際に、コンテンツ購入権が付与されているか否かを判断するだけでなく、所定の条件（例えば入金金額や、購入期限、購入回数）に合致するか否かを判断し、条件の範囲内でなければ購入不可とすることも可能である。逆にいえば、利用者は条件範囲内であれば、何度でもデジタルコンテンツを購入することも可能となる。
【００３３】
データベースサーバ４２は、デジタルコンテンツを提供する店舗情報を記憶する店舗情報データベースと、サービス利用者となる会員に関する情報を記憶する会員情報データベースとを備え、要求に応じて店舗情報および会員情報の登録、読み出しを行う情報処理装置である。なお、データベースサーバ４２は、コンテンツ提供者４のローカルネットワークを介して会員受付サーバ４１と接続される。図１では、データベースサーバ４２と会員受付サーバ４１とを別々の装置で構成する例を示しているが、会員受付サーバ４１とデータベースサーバ４２は同一の装置であってもよい。つまり、会員受付サーバ４１が店舗情報データベースと会員情報データベースとを記憶装置として備える場合にはデータベースサーバ４２は省略可能である。
【００３４】
店舗情報データベースは、店舗情報として、コンテンツ提供者４が管理する各店舗の店舗ＩＤと、その店舗の携帯電話機用およびＰＣ用コンテンツ販売ページのＵＲＬと、コンテンツ情報とを対応づけて記憶する。コンテンツ情報とは、デジタルコンテンツを購入する際に、決算に必要な情報であって、デジタルコンテンツの名称やコンテンツＩＤ、値段を含む。コンテンツ販売ページは、例えば、携帯電話機に直接ダウンロード可能なデジタルコンテンツを携帯電話機用コンテンツとし、携帯電話機に直接ダウンロードするには適さない大容量のデジタルコンテンツをＰＣ用コンテンツとしてダウンロードするのに適した端末がわかるよう表示することが望ましい。
【００３５】
会員情報データベースは、会員情報として、少なくとも会員を識別する情報である会員ＩＤと、会員の携帯メールアドレスと、会員が所有するユーザ端末のメールアドレス（以下、ＰＣメールアドレスという）と、デジタルコンテンツ購入時の決算に必要な情報（例えば、カード番号等）とを対応づけて記憶する。また、会員情報データベースは、会員にコンテンツ購入権を付与した場合には、コンテンツ購入権情報として、会員ＩＤと対応づけて、店舗ＩＤと購入条件とを記憶してもよい。さらに、会員情報データベースには、会員の購入履歴や、所定の期間における購入合計金額などを記憶してもよい。
【００３６】
メールサーバ４３は、利用者の携帯メールアドレスおよびＰＣメールアドレス宛の電子メールを送信する情報処理装置である。
【００３７】
コンテンツサーバ４４は、コンテンツ販売ページを通じて要求されるダウンロード要求に応じて、指示されたデジタルコンテンツを送信する情報処理装置である。また、コンテンツサーバ４４は、各店舗が提供するデジタルコンテンツを記憶するコンテンツデータベースを備える。なお、コンテンツサーバ４４は、コンテンツ提供者４のローカルネットワークを介してＷＷＷサーバ４０と会員受付サーバ４１とメールサーバ４３と通信可能とする。また、コンテンツサーバ４４は、デジタルコンテンツの送信が完了した場合には、その旨を会員受付サーバ４１に送信する機能も有する。なお、コンテンツサーバ４４の機能は、プログラムに従って動作するＣＰＵによって実現される。
【００３８】
コンテンツデータベースには、店舗ＩＤと対応づけて、デジタルコンテンツ本体だけでなく、デジタルコンテンツを識別するコンテンツＩＤと、デジタルコンテンツの決算に必要な情報（例えば、価格）とを記憶してもよい。
【００３９】
次に、図２を参照して会員登録およびＲＦＩＤ媒体発行の動作について説明する。図２は、本実施の形態における会員登録およびＲＦＩＤ媒体発行の動作例を示す流れ図である。まず、利用者は、ユーザ端末２０から、コンテンツ提供者４がＷＷＷサーバ４０によってインターネット上に開設しているデジタルコンテンツ販売サービスサイトにある会員申込みページにアクセスする（ステップＳ１０１）。会員申込みページは、図３に示すような会員申込みフォームを含むＷｅｂページであって、ＷＷＷサーバ４０を介して会員受付サーバ４１が提供しているＷｅｂページである。ユーザ端末２０は、例えば、会員申込みページのＵＲＬが入力されると、インターネットを介して会員受付サーバ４１に会員受付ページのページ情報を要求する旨の情報を送信する。会員受付サーバ４１から会員申込みフォームがされる（ステップＳ１０２）。例えば、会員受付サーバ４１は、会員申込みフォームを含む会員申し込みページのページ情報を予め記憶しておき、インターネットを介して会員申し込みページのページ情報を送信してもよい。図３は、会員申込みフォームの一例を示す説明図である。図３に示すように、会員申込みフォームは、例えば、利用者の氏名と携帯メールアドレスとＰＣメールアドレスと決済方法とを入力項目として有していてもよい。
【００４０】
ユーザ端末２０は、会員申込みページのページ情報を受信すると、会員申込みページを表示する。ユーザ端末２０は、利用者が会員申込みページに従って入力した会員申込みデータ（会員申込みページの入力項目に入力された情報をいう）を会員受付サーバ４１へ送信する（ステップＳ１０３）。
【００４１】
会員受付サーバ４１は、ユーザ端末２０から会員申込みデータを受信すると、会員申込みデータに基づいて新たに会員情報を作成し、作成した会員情報を会員情報データベースに登録する（ステップＳ１０４，１０５）。会員受付サーバ４１は、例えば、新たに会員ＩＤを割り当て、割り当てた会員ＩＤに対応づけて、利用者が希望した決済条件と、携帯メールアドレスと、ＰＣメールアドレスとを含む会員情報を登録する旨の情報をデータベースサーバ４２に送信する。データベースサーバ４２は、受信した会員情報を会員情報データベースに登録する。会員ＩＤは、会員情報データベースに登録する際に、データベースサーバ４２が割り当てることも可能である。ここで、例えば、会員受付サーバ４１は、受信した会員申込みデータの決算方法に応じて、更に決算方法に応じて必要な情報（例えば、カード番号等）を入力項目として有するページ情報を送信することも可能である。
【００４２】
また、会員受付サーバ４１は、新たに会員情報を登録する際に、ＲＦＩＤ媒体を発行する際の認証に用いる会員パスワードを作成する。会員受付サーバ４１は、作成した会員パスワードを携帯電話機３０に送信する（ステップＳ１０６）。会員パスワードは、会員毎に固有の情報であって、ＲＦＩＤ発行端末５０に入力可能な情報であればよい。
【００４３】
ユーザ端末２０は、会員受付サーバ４１から会員パスワードを受信すると、会員パスワードを表示する。例えば、会員受付サーバ４１は、会員パスワードを表示する会員登録確認ページのページ情報を送信し、ユーザ端末２０は、受信したページ情報に基づいて会員登録確認ページを表示してもよい。
【００４４】
ここで、利用者が、ＲＦＩＤ媒体を入手するためにＲＦＩＤ発行者５を訪れる。ＲＦＩＤ発行端末５０は、通常時において予め会員受付サーバ４１から提供される会員パスワード入力画面を表示していてもよい。会員パスワード入力画面は、少なくとも会員パスワードを入力項目として有する画面である。ＲＦＩＤ発行端末５０は、利用者から会員パスワードが入力されると、通信ネットワークを介して会員受付サーバ４１に会員パスワードを送信し、ＲＦＩＤ発行要求を行う（ステップＳ１０７）。
【００４５】
会員受付サーバ４１は、ＲＦＩＤ発行端末５０からＲＦＩＤ発行要求として、会員パスワードを受信すると、会員情報データベースと照合し、合致する会員情報が登録されているかを確認する。例えば、会員受付サーバ４１は、データベースサーバ４２に会員パスワードに合致する会員情報を読み出す旨の要求を送信し（ステップＳ１０８）、データベースサーバ４２が要求に従って、会員パスワードが一致する会員情報を会員情報データベースから読み出して返信する。または、一致する会員情報が登録されていない場合は、その旨を返信する（ステップＳ１０９）。
【００４６】
会員受付サーバ４１は、合致する会員情報が登録されている場合には、読み出した会員情報に基づいてＲＦＩＤデータを作成し、作成したＲＦＩＤデータを通信ネットワークを介してＲＦＩＤ発行端末５０に送信する（ステップＳ１１０）。ＲＦＩＤデータは、既に説明したように、少なくとも利用者を識別する情報である会員ＩＤを含んだ情報である。なお、会員情報データベースとの照合の際に、例えば、受信した会員パスワードから会員ＩＤを導出し、導出した会員ＩＤに合致する会員情報が登録されているかを確認することも可能である。
【００４７】
ＲＦＩＤ発行端末５０は、会員受付サーバ４１からＲＦＩＤデータを受信すると、ＲＦＩＤデータを記憶したＲＦＩＤ媒体の発行する（ステップＳ１１１）。具体的には、ＲＦＩＤ発行端末５０は、受信したＲＦＩＤデータをＲＦＩＤプリンタ５１に送信するとともに、ＲＦＩＤプリンタ５１にＲＦＩＤ媒体の印刷を指示する。ＲＦＩＤプリンタ５１は、ＲＦＩＤ発行端末５０の指示に従って、予め内部に保有しているＲＦＩＤ媒体の記憶領域にＲＦＩＤデータを書き込んだ上で、ＲＦＩＤ媒体を搬出する。
【００４８】
このような動作によって、利用者は、コンテンツ購入システムに用いるＲＦＩＤ媒体を取得する。図２では、ユーザ端末２０を用いて会員登録を行う場合について説明したが、会員登録を行う端末は、ユーザ端末２０に限らず、利用者が所有している携帯電話機３０からでも可能である。また、ＲＦＩＤ発行端末５０がデジタルコンテンツ販売サービスサイトにある会員申込みページにアクセスする機能を有することで、会員登録を事前に行わなくてもその場で会員登録を行い、そのままＲＦＩＤ媒体を発行することも可能である。
【００４９】
次に、図４を参照して、コンテンツ購入権の付与動作について説明する。図４は、本実施の形態におけるコンテンツ購入権の付与にかかる動作例を示す流れ図である。ここで、利用者は、本システムを利用してデジタルコンテンツを販売している店舗１に出向いているものとする。まず、利用者は、店舗１に設置されているＲＦＩＤリーダ１１に、ＲＦＩＤ発行端末５０によって発行されたＲＦＩＤ媒体をかざす。ＲＦＩＤリーダ１１は、ＲＦＩＤ媒体からＲＦＩＤデータを読み取り、店舗端末１０に送信する（ステップＳ２０１）。店舗端末１０は、予め店舗１を識別するための店舗ＩＤを記憶しており、ＲＦＩＤリーダ１１からＲＦＩＤデータを受信すると、受信したＲＦＩＤデータと店舗ＩＤとを含むコンテンツ購入権申込みメッセージを通信ネットワークを介して会員受付サーバ４１に送信する（ステップＳ２０２）。コンテンツ購入権申込みメッセージには、読み取った日時の情報を含めてもよい。
【００５０】
会員受付サーバ４１は、店舗端末１０からコンテンツ購入権申込みメッセージを受信すると、コンテンツ購入権申込みメッセージに含まれるＲＦＩＤデータおよび店舗ＩＤに基づいて、ＲＦＩＤ媒体をかざした会員の携帯メールアドレスと、ＲＦＩＤ媒体をかざした店舗専用のコンテンツ販売ページのＵＲＬとを入手する。例えば、会員受付サーバ４１は、コンテンツ購入権申込みメッセージに含まれるＲＦＩＤデータから会員ＩＤを導出し、導出した会員ＩＤに合致する会員情報（少なくとも携帯電話メールアドレス）と、店舗ＩＤに合致する店舗情報（少なくとも携帯電話機用コンテンツ販売ページのＵＲＬ）とを読み出す旨の要求をデータベースサーバ４２に送信し（ステップＳ２０３）、データベースサーバ４２が要求に従って、会員ＩＤが一致する会員情報を会員情報データベースから読み出し、また店舗ＩＤが一致する店舗情報を店舗情報データベースから読み出して返信する（ステップＳ２０４，Ｓ２０５）。または、一致する会員情報または店舗情報が登録されていない場合は、その旨を返信する。
【００５１】
会員受付サーバ４１は、コンテンツ購入権申込みメッセージから正しく会員情報と店舗情報とが読み込めた場合には、その会員に、その店舗のコンテンツ購入権を与える。例えば、会員受付サーバ４１は、データベースサーバ４２に、店舗ＩＤと購入条件とを含むコンテンツ購入権情報を会員情報データベースに登録する旨の要求を送信するとともに、その店舗のデジタルコンテンツを販売するコンテンツ販売ページのＵＲＬを通知する。コンテンツ販売ページのＵＲＬは、例えば、コンテンツ販売ページのＵＲＬを本文に含む電子メール（以下、コンテンツ販売ページ通知メールという。）を作成し、作成したコンテンツ販売ページ通知メールを、メールサーバ４３を用いて携帯メールアドレス宛てに送信することで通知する（ステップＳ２０６，Ｓ２０７）。
【００５２】
コンテンツ販売ページは、コンテンツデータベースに記憶してあるデジタルコンテンツをダウンロードするＷｅｂページであって、ＷＷＷサーバ４０を介してコンテンツサーバ４４が提供するＷｅｂページである。また、コンテンツ販売ページは各店舗が固有のＵＲＬを持つ。コンテンツ販売ページでは、例えば、図５に示すように、その店舗が販売するデジタルコンテンツの一覧が選択可能に表示してもよい。デジタルコンテンツを一覧表示する際には、名称だけでなく、価格やサイズを含めてもよい。また、携帯電話機用デジタルコンテンツ販売ページの場合には、携帯電話用と、ＰＣ用（図中では、パソコン用）とがわかるよう分類して表示してもよい。
【００５３】
なお、コンテンツ販売ページには、利用者がコンテンツ販売ページにアクセスした際に利用者を特定するため、会員ＩＤを入力させて送信する処理が予め組み込まれているものとする。コンテンツ販売ページに最初にアクセスした際に、例えば、会員ＩＤを入力項目として有する認証画面を表示してもよい。または、コンテンツ販売ページ通知メールにて、予めコンテンツ販売ページのＵＲＬに認証画面と同様のデータ形式（ＵＲＬエンコード形式）の会員ＩＤを付加したＵＲＬを通知し、アクセスと同時に送信させることも可能である。
【００５４】
図５は、コンテンツ販売ページ通知メールの本文例と、携帯電話機用コンテンツ販売ページの画面例を示す説明図である。コンテンツ販売ページ通知メールは、例えば、携帯メールアドレスに送信する場合には、携帯電話機用コンテンツ販売ページのＵＲＬ（図中では、コンテンツＵＲＬと表示）の他に、コンテンツ購入権を取得した日時（図中では、ＩＤ取得日時と表示）や、店舗名を含めてもよい。
【００５５】
携帯電話機３０は、コンテンツ販売ページ通知メールを受信する。この携帯電話機３０は、ステップＳ２０１にてＲＦＩＤ媒体をＲＦＩＤリーダ１１にかざした利用者が所有する携帯電話機であって、会員登録の際に登録した携帯メールアドレスを有する携帯電話機である。携帯電話機３０は、所有者の操作に従って、受信したコンテンツ販売ページ通知メールの本文に含まれるコンテンツ販売ページにアクセスする（ステップＳ２０８）。
【００５６】
このように、利用者は、訪れた店舗にてＲＦＩＤ媒体をかざすことによって、その店舗が販売するデジタルコンテンツを購入できるコンテンツ販売ページのＵＲＬを電子メールで受信する。コンテンツ販売ページのＵＲＬを利用者が所有するユーザ端末（ここでは、携帯電話機３０）に通知することによって、利用者は、好きなタイミングでコンテンツ販売ページにアクセスし、デジタルコンテンツを購入することができる。また、権利条件の範囲内であれば、再度店舗に足を運ばなくても、何度でも購入することができる。
【００５７】
次に、図６を参照して、デジタルコンテンツの購入にかかる動作を説明する。図６は、本実施の形態におけるデジタルコンテンツ購入の動作例を示す流れ図である。なお、ステップＳ２０８までの動作は、図４と同様のため説明省略している。携帯電話機３０は、所有者の操作に従って、受信したコンテンツ販売ページ通知メールの本文に含まれる携帯電話機用コンテンツ販売ページにアクセスする（ステップＳ２０８）。コンテンツサーバ４４は、携帯電話機３０からのアクセス要求に応じてＵＲＬによって指定される店舗の携帯電話機用コンテンツ販売ページのページ情報を送信する。携帯電話機３０は、ページ情報を受信し、コンテンツ販売ページを表示する。
【００５８】
ここで、利用者は、携帯電話用デジタルコンテンツ（例えば、待ち受け画面１）を選択する。携帯電話機３０は、利用者の操作に応じて、選択したデジタルコンテンツのダウンロードを要求する（ステップＳ３０１）。携帯電話機３０は、コンテンツ販売ページに予め組み込まれた処理に従って、例えば、選択されたコンテンツＩＤを、インターネットを介してコンテンツサーバ４４に送信する。ここで、アクセス時に入力させた会員ＩＤや、ＵＲＬによって特定される店舗ＩＤを含めて送信してもよい。
【００５９】
コンテンツサーバ４４は、携帯電話機３０からダウンロードを要求されると、指定されたデジタルコンテンツを携帯電話機３０に送信する（ステップＳ３０２）。ここで、コンテンツサーバ４４は、要求内容がコンテンツ購入権の購入条件に合致しているかを、会員受付サーバ４１に問い合わせてもよい。購入条件には、コンテンツ購入権を有するか否かだけでなく、例えば、入金残高以内であるか、購入権利の有効期限以内であるか等を含めることも可能である。会員受付サーバ４１は、コンテンツサーバ４４からの問合せに応じて、会員情報データベースと照合し、購入条件に合致しているか否かを判定して応答する。コンテンツサーバ４４は、コンテンツ購入権の購入条件に合致していると判定された場合のみ、デジタルコンテンツを携帯電話機３０に送信してもよい。また、購入条件としてコンテンツ購入権を有するか否かを判断するだけである場合には、コンテンツ販売ページにアクセスされた際に問合せすることも可能である。
【００６０】
携帯電話機３０は、コンテンツサーバ４４からデジタルコンテンツを受信する。また、コンテンツサーバ４４は、デジタルコンテンツの送信が完了すると、決済に必要な情報をコンテンツ購入情報として会員受付サーバ４１に送信し、決済処理を要求する（ステップＳ３０３）。図７は、コンテンツ購入情報の一例を示す説明図である。図７に示すように、コンテンツ購入情報には、利用者の氏名や、携帯メールアドレス、利用店舗ＩＤ、決済方法、利用コンテンツ、購入日時を含んでいてもよい。
【００６１】
会員受付サーバ４１は、コンテンツサーバ４４からの要求に応じて、受信したコンテンツ購入情報に基づいて、決済を行う。会員受付サーバ４１は、例えば、データベースサーバ４２に、コンテンツを購入した店舗、ダウンロードした日時、ダウンロードしたコンテンツＩＤを含む購入履歴情報を登録する旨の要求を送信し、データベースサーバ４２は、受信した購入履歴情報を会員情報データベースに登録する（ステップＳ３０４，Ｓ３０５）。また、会員情報にコンテンツ購入権の購入条件として入金情報が含まれている場合は、購入金額に基づいて入金情報を更新する旨を要求してもよい。
【００６２】
このような動作によって、利用者は、店舗１固有のデジタルコンテンツを携帯電話機３０に直接ダウンロードすることができる。
【００６３】
次に、図８を参照して、利用者がＰＣ用デジタルコンテンツを選択した場合の動作について、説明する。図８は、本実施の形態におけるデジタルコンテンツ購入時の動作例を示す流れ図である。なお、ステップＳ２０８までの動作は、図４と同様のため説明省略している。携帯電話機３０は、所有者の操作に従って、受信したコンテンツ販売ページ通知メールの本文に含まれる携帯電話機用コンテンツ販売ページにアクセスする（ステップＳ２０８）。コンテンツサーバ４４は、携帯電話機３０からのアクセス要求に応じてＵＲＬによって指定される店舗の携帯電話機用コンテンツ販売ページのページ情報を送信する。携帯電話機３０は、ページ情報を受信し、コンテンツ販売ページを表示する。
【００６４】
ここで、利用者は、ＰＣ用デジタルコンテンツ（例えば、壁紙Ｘ）を選択する。携帯電話機３０は、利用者の操作に応じて、選択したデジタルコンテンツのダウンロードを要求する（ステップＳ４０１）。携帯電話機３０は、コンテンツ販売ページに予め組み込まれた処理に従って、例えば、選択されたコンテンツＩＤとアクセス時に入力させた会員ＩＤとＵＲＬによって特定される店舗ＩＤとを、インターネットを介して会員受付サーバ４１に送信する。ここでは、携帯電話機用デジタルコンテンツ販売ページからＰＣ用デジタルコンテンツが選択されたことを受けて、コンテンツサーバ４４ではなく会員受付サーバ４１に送信するよう予め組み込まれているものとする。
【００６５】
会員受付サーバ４１は、携帯電話機３０からダウンロードを要求されると、その要求がコンテンツ購入権の購入条件に合致しているかを判断し、合致している場合には、指定されたデジタルコンテンツをＰＣからダウンロードするためのＰＣ用コンテンツ購入パスワードとを携帯電話機３０に送信する（ステップＳ４０２）。携帯電話機３０は、受信したＰＣ用コンテンツ購入パスワードを表示する。会員受付サーバ４１は、例えば、ＰＣ用コンテンツ購入パスワードを本文に含む電子メールを携帯メールアドレスに送信し、携帯電話機３０は、受信した電子メールを表示する。また、会員情報データペース４１２に登録されているＰＣメールアドレスに、ＰＣ用コンテンツ販売ページのＵＲＬを本文に含む電子メール（以下、ＰＣ用コンテンツ販売ページ通知メールという。）を作成し、送信してもよい。
【００６６】
利用者は自宅に戻ってからユーザ端末２０を用い、ＰＣ用コンテンツ販売ページにアクセスする（ステップＳ４０３）。なお、ＰＣ用コンテンツ販売ページには、利用者がＰＣ用コンテンツ販売ページにアクセスした際にＰＣ用コンテンツ購入パスワードを入力させ、送信する処理が予め組み込まれているものとする。ユーザ端末２０は、利用者の操作に応じて、ＰＣ用コンテンツ購入パスワードを入力し、ダウンロードを要求する（ステップＳ４０４）。ユーザ端末２０は、ＰＣ用コンテンツ購入ページに予め組み込まれた処理に従って、例えば、ＰＣ用コンテンツ購入パスワードをインターネットを介してコンテンツサーバ４４に送信する。
【００６７】
コンテンツサーバ４４は、ユーザ端末２０からダウンロードを要求されると、ＰＣ用デジタルコンテンツ購入パスワードに基づいて要求されたデジタルコンテンツを特定し、特定したデジタルコンテンツをユーザ端末２０に送信する（ステップＳ４０５）。デジタルコンテンツは、会員受付サーバ４１に問い合わせることも可能である。
【００６８】
ユーザ端末２０は、コンテンツサーバ４４からデジタルコンテンツを受信する。また、コンテンツサーバ４４は、デジタルコンテンツの送信が完了すると、コンテンツ購入情報を会員受付サーバ４１に送信し、決済処理を要求する（ステップＳ４０６）。会員受付サーバ４１は、コンテンツサーバ４４からの要求に応じて、受信したコンテンツ購入情報に基づいて、決済を行う。会員受付サーバ４１は、例えば、データベースサーバ４２に、コンテンツを購入した店舗、ダウンロードした日時、ダウンロードしたコンテンツＩＤを含む購入履歴情報を登録する旨の要求を送信し、データベースサーバ４２は、受信した購入履歴情報を会員情報データベースに登録する（ステップＳ４０７，Ｓ４０８）。また、会員受付サーバ４１は、利用者がＰＣ用デジタルコンテンツ購入パスワードによってデジタルコンテンツを購入した場合には、データベースサーバ４２に要求してサービス料金を取得し、取得したサービス料金をユーザ端末２０にメールで通知することも可能である（ステップＳ４０９）。
【００６９】
このような動作によって、利用者は、店舗１固有のデジタルコンテンツを、携帯電話機３０だけでなく、ユーザ端末２０に直接ダウンロードすることができる。以上のように、本実施の形態によれば、利用者が所有するＲＦＩＤ媒体と携帯電話機を用いて、場所特性のある商品や限定商品の販売サイトに簡単にアクセスできるので、通常、書籍や写真のような印刷物やＣＤＲＯＭやＤＶＤのような電子媒体として販売している商品を携帯電話機を用いてその場で入手することも、ゆっくり自宅のＰＣを用いて入手することもできる。
【００７０】
また、利用者が店舗や施設を訪れたときに、時間が原因でその場で見ることができなかったイベントや関係者以外には公開できない写真やビデオ映像を電子コンテンツとして入手することも可能である。
【００７１】
また、物品を商品として販売しているサービス事業者が商品やサービスの情報提供だけでなくデジタル化したデータを販売することで高付加価値商品としての販路を増やすことができ、店頭における印刷物や電子媒体を陳列するスペースも削減できる。
【００７２】
また、店舗や施設に置かれているＲＦＩＤリーダにＲＦＩＤカードをかざすことによってＲＦＩＤ媒体の所有者がいつ、どこで、どのような情報に興味をもってサービスを利用したかがトレースできるので商品販売履歴や顧客嗜好の分析ができる。
【００７３】
また、一度会員登録しておけば、利用者は、ＲＦＩＤ媒体をＲＦＩＤリーダにかざすだけの簡単な方法で、所望の有料コンテンツサイトにアクセスすることができるので、安心してインターネット有料サイトを利用できることである。また、一度会員登録をしてしまいえば、異なる店舗のデジタルコンテンツも同様に購入することができるので、店舗ごとに会員登録する必要が無く、また携帯電話の利用料金に含めて支払うことや前もって支払った金額の範囲内でのみ購入可能なよう制限をかけることもできるので、安心して利用することができる。
【００７４】
なお、本発明によるデジタルコンテンツ購入システムは、旅行先で立ち寄った観光施設や店舗などに固有のデジタルコンテンツを販売するだけでなく、例えば、日常生活において、商店街やショッピングモール、デパートにおいて各店舗の固有のコンテンツを販売して、利用客が買い物しているときに、店舗情報とともに有料コンテンツを販売するサービスにも適用できる。また、教育や学習の分野においても、有料で提供しているドキュメントや講義内容を記録した映像や音声などのコンテンツを販売するサービスにも適用できる。
【産業上の利用可能性】
【００７５】
本発明によるデジタルコンテンツ購入システムは、場所特性のある情報や場所を限定して提供したい情報を提供するサービス、およびその情報を有料コンテンツとして販売するサービスに活用できる。
【図面の簡単な説明】
【００７６】
【図１】本発明によるデジタルコンテンツ購入システムの構成例を示したブロック図である。
【図２】会員登録およびＲＦＩＤ媒体発行の動作例を示す流れ図である。
【図３】会員申込みフォームの一例を示す説明図である。
【図４】コンテンツ購入権の付与にかかる動作例を示す流れ図である。
【図５】デジタルコンテンツ購入時の動作例を示す流れ図である。
【図６】コンテンツＵＲＬ通知メールの本文例と、携帯電話機用コンテンツ販売ページの画面例を示す説明図である。
【図７】コンテンツ購入情報の一例を示す説明図である。
【図８】ＰＣ用デジタルコンテンツ購入時の動作例を示す流れ図である。
【符号の説明】
【００７７】
１  店舗
１０  店舗端末
１１  ＲＦＩＤリーダ
２０  ユーザ端末
３０  携帯電話機
４  コンテンツ提供者
４１  会員受付サーバ
４２  データベースサーバ
４３  メールサーバ
４４  コンテンツサーバ
５  ＲＦＩＤ発行者
５０  ＲＦＩＤ発行端末
５１  ＲＦＩＤプリンタ
【図１】
2007122623.tif 000003
【図２】
2007122623.tif 000004
【図３】
2007122623.tif 000005
【図４】
2007122623.tif 000006
【図５】
2007122623.tif 000007
【図６】
2007122623.tif 000008
【図７】
2007122623.tif 000009
【図８】
2007122623.tif 000010